(57)【要約】プラスチック成形ケース本体４の周縁頂部１０にハンドルポスト２８を所定の間隔で対設し、このハンドルポスト２８はそれぞれ前記プラスチック成形ケース本体４の周縁頂部１０より舌片部３４を立設しその端部横方向に下向きにフランジ部４０を突設し、さらに前記周縁頂部１０上で前記フランジ部４０と対応する位置に隆起部４２を前記フランジ部４０との間に隙間が形成されるように設け、前記舌片部３４と周縁頂部１０との間に形成される空間の少なくとも一側部を閉塞し、前記舌片部３４に対応する周縁頂部１０にハンドル８の脱出防止溝４４を開口して構成され、一方ハンドル８の両端部４６に係止突起部４８を設け、さらに前記係止突起部４８には下方に突出するガイド突起部５０を設け、これを前記脱出防止溝４４に摺動自在に嵌入したことを特徴とする。
2002082942.tif 000002
【特許請求の範囲】
【請求項１】
プラスチック成形ケース本体の周縁頂部にハンドルポストを所定の間隔で対設し、このハンドルポストはそれぞれ前記プラスチック成形ケース本体の周縁頂部より舌片部を立設してこれを前記周縁頂部と平行に延在させると共にその端部横方向に下向きにフランジ部を突設し、さらに前記周縁頂部上で前記フランジ部と対応する位置に隆起部を前記フランジ部との間に隙間が形成されるように設け、前記舌片部と周縁頂部との間に形成される空間の少なくとも一側部を閉塞し、前記舌片部に対応する周縁頂部にハンドルの脱出防止溝を開口して構成され、一方ハンドルの両端部に係止突起部を設け、さらに前記係止突起部には下方に突出するガイド突起部を設け、これを前記脱出防止溝に摺動自在に嵌入するよう構成しこのように構成された前記ハンドル端部を前記ハンドルポスト内に案内して、ハンドルの懸吊時に前記ハンドル端部の係止突起部が前記フランジ部と前記隆起部とにより遊嵌自在に係止されるよう構成されることを特徴とするプラスチック成形ケースのハンドル取付構造。
【請求項２】
舌片部とケース本体周縁頂部とは、舌片部の立上り端部とケース本体周縁頂部のハンドル脱出防止溝との間に立設される縦板により一体的に連結されてハンドル懸吊時における舌片部の外方への撓曲を阻止するよう構成することを特徴とする請求項１記載のプラスチック成形ケースのハンドル取付構造。
【請求項３】
ハンドルの両端部に設けた係止突起部の両側部に水平方向案内突起片を設け、一方ケース本体周縁頂部のハンドルポスト閉塞側部とケース蓋体周縁頂部に突設したハンドルポストの開放面を閉塞するための側板との内側面にそれぞれ水平方向案内溝を設けて前記水平方向案内突起片をこれに摺動自在に突合わせることを特徴とする請求項１乃至２いずれかに記載のプラスチック成形ケースのハンドル取付構造。
【請求項４】
舌片部の開放側縁に沿ってリム部を突設し、一方蓋体上の側板上にも前記リム部を収容する為の嵌合溝を設けることを特徴とする請求項１乃至３いずれかに記載のプラスチック成形ケースのハンドル取付構造。
【発明の詳細な説明】
技術分野
この発明は、ヒンジで連結された２片からなるプラスチックケースのハンドル取付構造に関する。
背景技術
プラスチック成形ケースには、持運びがしやすいようにハンドルを付けたものがある。これらのハンドルには、ハンドル自体の機能として、可動可能な機構を有する可動式のものと固定式のものの二つに大別できる。
可動式ハンドルは、持ち運び時以外のハンドルの不必要な突出を改善するものであって、固定式よりも機能に優れた特徴を有する。
例えば、可動式ハンドルには、ハンドルを横に倒す横倒し式形状を有するものとハンドルの左右をスライド式にして、手かけを形成するものがある。
ハンドルの使用時には、横倒し式ハンドルは、ハンドルに手をかけるためには、本体からハンドルを起こさなければならない。一方、スライド式ハンドルは、既にハンドルが形成されているためハンドルに手をかけるだけで良い。したがって、利便性は、横倒し式ハンドルと比較してスライド式ハンドルが勝る。
このスライド式ハンドルには、さらに、２片から成るケース本体の１片側に設けるものと（例えば登録実用新案第３０５６８０３号）、２片を合わせて、ケースを完全に閉じたときにハンドルとしての機能が果たせるものがある。
しかし、ケースの１片側に設けるハンドルは、ハンドルをケースに取付けるための部品が別に複数必要となり、ハンドルをケースに、部品で係止するためプラスチック成形ケースの製造工程数も増加し、コストの上昇を招いていた。
そこで、別部材が不用で、ハンドル部分の取付けのみのケースが考えられた。しかし、このハンドルは、ケースを開いてるときに、ケースから容易に外れる構造であった。
本発明は、これらの問題を解決するために、別部品が不用で、ケースの１片側にハンドルを取付けるだけでハンドルとしての機能が得られる取付構造を提供することにある。
発明の開示
前記の課題を解決するため、本発明に係るプラスチック成形ケースのハンドル取付構造は、プラスチック成形ケース本体の周縁頂部にハンドルポストを所定の間隔で対設し、このハンドルポストはそれぞれ前記プラスチック成形ケース本体の周縁頂部より舌片部を立設してこれを前記周縁頂部と平行に延在させると共にその端部横方向に下向きにフランジ部を突設し、さらに前記周縁頂部上で前記フランジ部と対応する位置に隆起部を前記フランジ部との間に隙間が形成されるように設け、前記舌片部と周縁頂部との間に形成される空間の少なくとも一側部を閉塞し、前記舌片部に対応する周縁頂部にハンドルの脱出防止溝を開口して構成され、一方ハンドルの両端部に係止突起部を設け、さらに前記係止突起部には下方に突出するガイド突起部を設け、これを前記脱出防止溝に摺動自在に嵌入するよう構成し、このように構成された前記ハンドル端部を前記ハンドルポスト内に案内して、ハンドルの懸吊時に前記ハンドル端部の係止突起部が前記フランジ部と前記隆起部とにより遊嵌自在に係止されるよう構成されることを特徴とする。
舌片部とケース本体周縁頂部とは、舌片部の立上り端部とケース本体周縁頂部のハンドル脱出防止溝との間に立設される縦板により一体的に連結されてハンドル懸吊時における舌片部の外方への撓曲を阻止するよう構成することができる。
ハンドルの両端部に設けた係止突起部の両側部に水平方向案内突起片を設け、一方ケース本体周縁頂部のハンドルポスト閉塞側部とケース蓋体周縁頂部に突設したハンドルポストの開放面を閉塞するための側板との内側面にそれぞれ水平方向案内溝を設けて前記水平方向案内突起片をこれに摺動自在に突合わせることにより、ハンドル懸吊時におけるハンドル端部のハンドルポスト内における移動を円滑にする。
舌片部の開放側縁に沿ってリム部を突設し、一方蓋体上の側板上にも前記リム部を収容する為の嵌合溝を設けることでハンドルポストの開放側部と蓋体頂部側板との密着性を高めることができる。
発明を実施するための最良の形態
本発明のその他の詳細な構成は、利点および特徴については、添付図面を参照しながら以下に記す実施例によって明らかにされる。
図１に示すように、本発明に係るハンドル取付構造を有するプラスチック成形ケース２は、ケース本体４とケース蓋体６とプラスチック成形ケース本体４の頂部に取り付けられるハンドル８とから構成される。
ケース本体４は、ケース本体周縁頂部１０とケース本体周縁側部１２とケース本体周縁底部１４とケース本体中央板１６とから構成される。
ケース本体周縁底部１４には、所定の間隔で２つのヒンジ部品２０を設け、ケース蓋体周縁頂部２２とケース蓋体周縁側部２４とケース蓋体周縁底部２６とからなるケース蓋体６をケース本体４に開閉自在に連結する。
図２に示すようにケース本体周縁頂部１０に、ハンドルポスト部２８を所定の間隔で対設する。ハンドルポスト部２８は、舌片部３４とハンドルポスト閉塞側板３６と縦板３８とから構成され、舌片部３４は、ケース本体周縁頂部１０より立上げてケース本体周縁頂部１０と平行に延在させる。舌片部３４の端部横方向にフランジ部４０を下方向へ突設し、このフランジ部４０に相応してケース本体周縁頂部１０上に隆起部４２をフランジ部４０との間に隙間が形成されるように設ける。
舌片部３４とケース本体周縁頂部１０との間に形成される空間の少なくとも一側部は、ハンドルポスト閉塞側板３６により閉塞される。
舌片部３４とケース本体周縁頂部１０とは、舌片部３４の立上り端部とケース本体周縁頂部１０のハンドル脱出防止溝４４との間に立設される縦板３８により一体的に連結されてハンドル懸吊時における舌片部３４の外方への撓曲を阻止する。
さらに、舌片部３４に対応するケース本体周縁頂部１０にハンドルの脱出防止溝４４を開口して設ける。
ハンドル８の両端部４６に係止突起部４８を設ける。さらに、係止突起部４８には下方に突出するガイド突起部５０を設け、このガイド突起部５０を前記脱出防止溝４４に摺動自在に嵌入するよう構成する。ハンドル端部４６を前記ハンドルポスト部２８内に案内して、ハンドル８の懸吊時に前記ハンドル端部４６の係止突起部４８が前記フランジ部４０と前記隆起部４２とにより遊嵌自在に係止される。
プラスチックケース本体４のハンドルポスト部２８に対応するケース蓋体６の周縁頂部２２にハンドルポスト部２８の開放面を閉塞するための側板５２を突設する。
さらに、ハンドルの両端部４６に設けた係止突起部４８の両側部に水平方向案内突起片５４を設け、一方ケース本体周縁頂部１０のハンドルポスト閉塞側板３６とケース蓋体周縁頂部２２の側板５２との内側面にそれぞれ水平方向案内溝５６を設けて前記水平方向案内突起片５４をこれに摺動自在に突合わせる。
図３に示すように、舌片部３４の開放側縁に沿ってリム部５８を突設し、一方ケース蓋体６上の側板５２上にも前記リム部５８を収容する為の嵌合溝６０を設ける。
以上の構成において、ハンドル懸吊時にハンドル端部４６の係止突起部４８が前記フランジ部４０と前記隆起部４２とにより遊嵌自在に係止される範囲内でケース本体周縁頂部１０長手方向に移動する。ハンドル端部４６は、ガイド突起部５０が前記脱出防止溝４４に摺動自在に嵌入されているため、ハンドルポスト開放部方向には脱出しない。
ケース本体周縁側部１２とハンドルポスト部２８との間にヒンジフック６２を設け、一方蓋体周縁頂部２２の対応部位にフック用係止片６４を設けてケース本体４とケース蓋体６とを閉塞固定する。
以上説明した構成により、ハンドルポスト部２８にハンドル８を取りつけるだけでプラスチック成形ケースの取手を得ることができる。
また、プラスチック成形ケース全体として一体成形されるケース本体４およびケース蓋体６の２片とハンドル８と前記２片を連結するヒンジフック２０とから構成されるため、プラスチック成形ケース製造工程数とプラスチック成形ケース重量の削減が可能となり、コストの削減がされたプラスチック成形ケースを簡便に製造することができる。
以上本発明の基本的構成とその典型的な実施例について説明したが、本発明の範囲と趣旨から逸脱することなく当業者においては種々の設計変更をなし得ることが理解されよう。
【図面の簡単な説明】
図１は本発明に係るハンドルポスト取付構造を備えるプラスチック成形ケースの構成図、
図２は本発明に係るプラスチック成形ケースに設けられるハンドルポスト取付構造の実施例を示す構成図、
図３は本発明に係るプラスチック成形ケースに設けられるハンドルポスト取付構造の実施例を示すＡ−Ａ線断面図である。
【図１】
2002082942.tif 000003
【図２】
2002082942.tif 000004
【図３】
2002082942.tif 000005
【国際調査報告】
2002082942.tif 000006
2002082942.tif 000007
2002082942.tif 000008